(57)【特許請求の範囲】
【請求項１】
マイクロフォンと、
マイクロフォンから出力される音声信号をしきい値と比較して、前記音声信号が前記しきい値を越えている場合には送信開始信号を出力し、越えていない場合には送信開始信号を出力しない送信制御手段と、
前記しきい値を調整するしきい値調整手段と、
前記送信開始信号が入力されると送信を開始し、前記送信開始信号が入力されないと送信を停止もしくは送信出力を抑制する送信部と
を備えた無線通信機において、
前記送信制御手段を、音声信号としきい値との比較結果の如何に関わらず送信開始信号を出力しない調整モードと、前記音声信号が前記しきい値を越えている場合には送信開始信号を出力し、越えていない場合には送信開始信号を出力しない通常モードの何れかのモードに切り換えるモード切り換え手段と、
前記送信制御手段における音声信号としきい値との比較結果を報知する報知手段と、
を備え、
前記報知手段は、
前記送信制御手段から出力される比較結果に応じて、
前記しきい値のレベルに対する前記音声信号のレベルの相対的な大小関係を表示する表示部を含んでおり、
前記表示部の表示領域の中央には、現在のしきい値のレベルを表示し、
現在の音声レベルは、前記現在のしきい値との大小関係および差に応じて、前記中央の現在のしきい値の表示位置から離れた位置に表示し、前記現在のしきい値との大小関係、および前記現在のしきい値のレベルに対してどの程度大きいか、もしくは、小さいかを量的に把握できるように表示するように構成されていることを特徴とする無線通信機。
【請求項２】
前記送信制御手段は、
マイクロフォンから出力される音声信号を、しきい値と比較して比較結果信号を出力する比較手段と、
前記比較結果信号が、前記音声信号が前記しきい値を越えている比較結果の場合には送信開始信号を出力し、越えていない比較結果の場合には送信開始信号を出力しない送信信号出力手段と、
を備えていることを特徴とする請求項１に記載の無線送信機。
【請求項３】
前記報知手段は、前記送信制御手段から出力される比較結果に応じた音声信号を発する音声出力部を含んでいることを特徴とする請求項１、２の何れか１項に記載の無線送信機。
【発明の詳細な説明】
【技術分野】
【０００１】
本発明は、マイクロフォンから所定のレベル以上の音声信号が入力されたときに自動的に送信状態に切り換えて送信を開始するＶＯＸ機能を備えた無線通信機に関するものである。
【背景技術】
【０００２】
従来のＶＯＸ機能は、マイクロフォンから入力された音声信号を、予め設定されたしきい値と比較して、前記しきい値を越えた場合には、当該無線通信機を受信状態から送信状態に自動的に切り換えて送信を開始するものである。
前記無線通信機には、ＶＯＸ機能における前記しきい値を設定するＶＯＸ感度調整機能を備えているものがある。
【０００３】
前記ＶＯＸ感度調整機能を備えることにより、周囲の騒音などが大きい場合にオペレータの意図に反してＶＯＸ機能が作動してしまい、送信が開始されることを防止するために、前記しきい値を上げることが可能になり、逆に、静かな環境などで小さな声でも確実にＶＯＸ機能が作動するように前記しきい値を下げることも可能になり、ＶＯＸ機能を便利に利用できるのである。
しかし、前記ＶＯＸ感度調整機能を使うためには、実際にＶＯＸ機能を作動させる必要がある。すなわち、所望のしきい値に設定するためには、実際にマイクロフォンに向かって音声を発しながら、所望の音声の大きさで送信開始されるようにＶＯＸ感度調整を行うことが必要となる。そのため、調整する間は不要な電波が実際に出力されてしまうという問題がある。
【０００４】
なお、ＶＯＸ機能を備えた無線通信機において、音声信号以外の雑音信号のレベルに基づいてしきい値を調整する機能を備えたものが、特許文献１において提案されている。
これは、ＶＯＸ機能を備えた無線通信機を車載している場合、車両の走行状態の変化などにより、マイクロフォンに入力される周囲の騒音の大きさが変動した場合に、前記しきい値を自動的に変更するものである。そのために、音声信号以外の周波数帯域の信号を雑音信号として選択するための周波数選択回路を備えている。
しかし、前記特許文献１の技術は、音声と騒音とを周波数帯域で区別しているものであるので、音声の大きさに基づいて前記しきい値を調整できるものではない。
前記特許文献１の技術においても、音声の大きさに基づいて前記しきい値を調整する場合には、ＶＯＸ機能が作動してしまい、送信する間は不要な電波が実際に出力されてしまうという問題は解決されていない。
【先行技術文献】
【特許文献】
【０００５】
【特許文献１】特許第３０５６６１４号公報
【発明の概要】
【発明が解決しようとする課題】
【０００６】
本発明は、実際にマイクロフォンに向かって音声を発してＶＯＸ感度を調整する場合に、ＶＯＸ機能が作動する音声レベルであるか否かを実際に確認することができるものでありながら、実際には送信はなされないように制御する機能を備えた無線通信機を提供するためになされたものである。
【課題を解決するための手段】
【０００７】
本発明の請求項１に係る無線送信機は、
マイクロフォンと、
マイクロフォンから出力される音声信号をしきい値と比較して、前記音声信号が前記しきい値を越えている場合には送信開始信号を出力し、越えていない場合には送信開始信号を出力しない送信制御手段と、
前記しきい値を調整するしきい値調整手段と、
前記送信開始信号が入力されると送信を開始し、前記送信開始信号が入力されないと送信を停止もしくは送信出力を抑制する送信部と
を備えた無線通信機において、
前記送信制御手段を、音声信号としきい値との比較結果の如何に関わらず送信開始信号を出力しない調整モードと、前記音声信号が前記しきい値を越えている場合には送信開始信号を出力し、越えていない場合には送信開始信号を出力しない通常モードの何れかのモードに切り換えるモード切り換え手段と、
前記送信制御手段における音声信号としきい値との比較結果を報知する報知手段と、
を備え、
前記報知手段は、
前記送信制御手段から出力される比較結果に応じて、
前記しきい値のレベルに対する前記音声信号のレベルの相対的な大小関係を表示する表示部を含んでおり、
前記表示部の表示領域の中央には、現在のしきい値のレベルを表示し、
現在の音声レベルは、前記現在のしきい値との大小関係および差に応じて、前記中央の現在のしきい値の表示位置から離れた位置に表示し、前記現在のしきい値との大小関係、および前記現在のしきい値のレベルに対してどの程度大きいか、もしくは、小さいかを量的に把握できるように表示するように構成されていることを特徴としている。
【０００８】
請求項２では、
前記送信制御手段は、
マイクロフォンから出力される音声信号を、しきい値と比較して比較結果信号を出力する比較手段と、
前記比較結果信号が、前記音声信号が前記しきい値を越えている比較結果の場合には送信開始信号を出力し、越えていない比較結果の場合には送信開始信号を出力しない送信信号出力手段と、
を備えている。
【０００９】
請求項３では、
前記報知手段は、前記送信制御手段から出力される比較結果に応じた音声信号を発する音声出力部を含んでいる。
【発明の効果】
【００１０】
請求項１に係る無線通信機は、
モード切り換え手段によって送信制御手段が調整モードに切り換えられている場合には、
しきい値を調整するために、しきい値を越えるような大きな音声を発しても、送信開始信号を出力しないので、不要な電波は送信されない。
しかも、現在の音声レベルが、実際にしきい値を越えているか否かの比較結果は報知されるので、電波を出さずに適切なしきい値の調整が可能となる。
さらに、報知手段の表示部の表示領域の中央には、現在のしきい値のレベルを表示し、
現在の音声レベルは、前記現在のしきい値との大小関係および差に応じて、前記中央の現在のしきい値の表示位置から離れた位置に表示し、前記現在のしきい値との大小関係、および前記現在のしきい値のレベルに対してどの程度大きいか、もしくは、小さいかを量的に把握できるように表示するので、現在の音声レベルがしきい値を越えているか否かを視覚を使って把握することができるとともに、現在の音声レベルとしきい値とがどの程度差があるかを視覚的に把握することができる。
【００１１】
請求項２では、
前記送信制御手段は、
マイクロフォンから出力される音声信号を、しきい値と比較して比較結果信号を出力する比較手段と、
前記比較結果信号が、前記音声信号が前記しきい値を越えている比較結果の場合には送信開始信号を出力し、越えていない比較結果の場合には送信開始信号を出力しない送信信号出力手段と、
を備えているので、
音声信号としきい値との比較結果に応じて適切な送信部の制御が可能となる。
【００１２】
請求項３では、
前記報知手段は、前記送信制御手段から出力される比較結果に応じた音声信号を発するので、現在の音声レベルがしきい値を越えているか否かを聴覚を使って把握することができる。
【図面の簡単な説明】
【００１３】
【図１】本発明に係る無線通信機の基本的な構成を示すブロック図である。
【図２】実施例１に係る無線通信機のブロック図である。
【図３】実施例１に係る無線通信機の動作を示すフローチャートである。
【図４】実施例１に係る無線通信機の表示部における表示例の説明図である。
【図５】実施例１に係る無線通信機の表示部における表示例の説明図である。
【図６】実施例１に係る無線通信機の表示部における表示例の説明図である。
【図７】実施例２に係る無線通信機の表示部における表示例の説明図である。
【図８】実施例３に係る無線通信機の表示部における表示例の説明図である。
【発明を実施するための形態】
【００１４】
本発明に係る無線通信機を実施するための形態を、図１を参照して説明する。
図１に示したように、
本発明に係る無線通信機１は、
マイクロフォン２と、
マイクロフォン２から出力される音声信号を、しきい値と比較して比較結果信号を出力する比較手段３と、
前記比較結果信号が、前記音声信号が前記しきい値を越えている比較結果の場合には送信開始信号を出力し、越えていない比較結果の場合には送信開始信号を出力しない送信信号出力手段４と、
前記しきい値を調整するしきい値調整手段５と
前記送信開始信号が入力されると送信を開始し、前記送信開始信号が入力されないと送信を停止もしくは送信出力を抑制する送信部６と
を備えている。
さらに、
当該無線通信機１を、前記比較結果信号の如何に関わらず送信開始信号を出力しない調整モードと、前記比較結果信号に応じて送信開始信号を出力する通常モードの何れかのモードに切り換えるモード切り換え手段７と、
前記モード切り換え手段によって前記調整モードに切り換えられた状態では、前記比較結果信号の如何に関わらず送信開始信号を出力せず、前記比較結果信号をオペレータに報知する報知手段８と、
を備えている。
前記比較手段３と前記送信信号出力手段４とで、特許請求の範囲に記載された送信制御手段を構成している。
【００１５】
前記モード切り換え手段７によって無線通信機１が通常モードに切り換えられている状態では、
オペレータがマイクロフォン２に向かって音声を発すると、その音声はマイクロフォン１によって音声信号に変換され、その音声信号は送信部６と比較手段３とに入力される。
前記比較手段３においては、前記音声信号はしきい値調整手段５によって調整されたしきい値と比較され、しきい値を越えているか否かが比較され、その比較結果は比較結果信号として、送信信号出力手段４に出力される。
【００１６】
送信信号出力手段４からは、前記比較結果信号が、前記音声信号が前記しきい値を越えている比較結果の場合には送信開始信号が出力され、越えていない比較結果の場合には送信開始信号は出力されない。
送信部６に前記送信開始信号が入力されると、送信部６はマイクロフォン１から入力されている音声信号を増幅するとともに所定の電波形式に変調して、アンテナから送信する。
送信部６に前記送信開始信号が入力されない状態では、送信部６はマイクロフォン１から音声信号が入力されていても、前記しきい値を越えていない信号レベルの音声信号は周囲の騒音等であるとして送信しない。
このようにして、通常のＶＯＸ機能が実現されている。
【００１７】
前記モード切り換え手段７によって無線通信機１が調整モードに切り換えられている状態では、
前記通常モードと同様に、オペレータがマイクロフォン２に向かって音声を発すると、その音声はマイクロフォン１によって音声信号に変換され、その音声信号は送信部６と比較手段３とに入力される。
また同様に、前記比較手段３においては、前記音声信号はしきい値調整手段５によって調整されたしきい値と比較され、しきい値を越えているか否かが比較され、その比較結果は比較結果信号として、送信信号出力手段４に出力される。
また同様に、送信信号制御手段４からは、前記比較結果信号が、前記音声信号が前記しきい値を越えている比較結果の場合には送信開始信号が出力され、越えていない比較結果の場合には送信開始信号は出力されない。
【００１８】
以上の動作は通常モードと同様であるが、以下の動作が、本発明に係る無線通信機における調整モードの特徴とする動作である。
調整モードでは、前記送信信号出力手段４は、前記比較結果信号の如何に関わらず送信開始信号を出力しない。
したがって、送信部６は、マイクロフォン２から音声信号が入力されていても、そして、その音声信号のレベルが前記しきい値を越えていても送信しない。
調整モードでは、前記送信信号出力手段４は、前記比較結果信号を報知手段８に出力する。
そして、前記報知手段８では、前記比較結果信号を、画面表示や音声出力等によってオペレータに報知する。
【００１９】
したがって、このような調整モードでは、オペレータは、前記報知手段８から報知される比較結果信号を確認しながら、前記しきい値調整手段５を操作して、音声が所望の大きさ以上になったときに送信開始されるように調整することができる。しかも、このような調整過程においては、いくら大きい音声を発しても送信部６からは送信されないので、不要な電波を放出することなく、オペレータは納得いくまでしきい値の調整が行える。
このような調整モードで納得のいく調整を終えた後に、前記モード切り換え手段を操作して、通常モードに復帰させ、前記調整したしきい値に基づいて通常のＶＯＸ機能を作動させて、当該無線通信機１を運用することができる。
なお、前記送信部６は、送信制御信号が入力されない場合には、送信出力を完全に停止することが望ましいが、完全に停止せずに、微小出力を送信できるようにしてもよい。この場合は、ＶＯＸ機能によって送信部６が実際に送信開始されることを確認しながら調整することができる。
【実施例１】
【００２０】
次に、本発明に係る無線通信機の実施例１を、図２、３を参照して説明する。
図２において、
１０は実施例１の無線通信機であり、
マイクロフォン２１から出力される音声信号を増幅するアンプ２２と、所望の周波数帯域の音声信号のみを通過させる低周波フィルタ２３とを備えている。前記低周波フィルタ２３から出力される音声信号は送信部６１に入力されるとともに、検波増幅回路２４を介して、ＶＯＸ機能を実現している制御部９に入力される。
【００２１】
制御部９は、
ＶＯＸ機能および種々の制御機能を実現するためのＣＰＵとメモリとを備え、機能ブロックで表現すると、比較手段としてのしきい値比較部３１と、しきい値が記憶されているしきい値メモリ３２を含んだＶＯＸゲイン設定部３３と、設定されるレベル値にそれぞれ対応させたしきい値が書き込まれたＶＯＸゲインテーブル３４と、
前記しきい値比較部３１における比較結果に基づいて送信開始信号に対応する送信制御信号を出力する送信信号出力部４１と、前記しきい値比較部３１における比較結果に基づいたメッセージを表示するための表示制御信号を表示部８１に出力する表示制御部４２と、
を備えている。
前記送信信号出力部４１から出力される送信制御信号によって送信部６１の電源供給が制御されて、送信部６１は送信状態もしくは電源が供給されていない状態（受信時）に切り換え制御される。
なお、前記制御部９における送信信号出力部４１としきい値比較部３１とは特許請求の範囲に記載された送信制御手段に対応する構成であり、表示部８１は特許請求の範囲に記載された報知手段に対応する構成である。
【００２２】
なお、受信部１１、アンテナスイッチ１２、アンテナ１３は公知の構成と同様であり、前記送信部６１からの出力があるときは、前記アンテナスイッチ１２は、アンテナ１３を送信部６側に切り替わり、それ以外では受信部１１側に切り替わる。
【００２３】
図示された操作部１４は、当該無線通信機１に対する各種操作を行うための各種のキーやツマミ等の操作手段を備えているとともに、当該無線通信機１を通常モードと調整モードに切り換えるためのセットモード起動キー７１と、前記しきい値を増減調整するためのＶＯＸゲイン設定キー５１とを備えている。
前記セットモード起動キー７１を押すことによって、セットモード起動信号が出力されて、このセットモード起動信号によって、当該無線通信機１の制御部９は、通常モードから調整モードに移行する。
調整モードにおいては、ＶＯＸゲイン設定キー５１のアップキー５２もしくはダウンキー５３を操作することで、前記ＶＯＸゲイン設定部３３に対するレベル調整信号を出力して、前記しきい値メモリ３２に設定されるしきい値を調整することができる。
【００２４】
次に、各部の動作を、図３のフローチャートを参照しながら詳細に説明する。
当該無線通信機１０の制御部９は、電源投入直後は、まず、ステップＳ１において、前記検波増幅回路２４から出力される音声信号の音声レベルの検出を開始する。
ステップＳ２では、セットモード起動信号の入力の有無をチェックし、入力が有ればステップＳ３以降の調整モードに移行し、入力が無ければステップＳ１４以降の通常モードに移行する。
【００２５】
ステップＳ３では、図４に示すように、表示部８１において設定画面を起動し、現在のモードが「調整モード」であることを示す表示Ｄ１を表示する。このとき、現在のしきい値が「５」であることを示す表示Ｄ２と、現在の送信モードが「ＦＭモード」であることを示す表示Ｄ３も表示する。
ステップＳ４では、ステップＳ１で検出された音声レベルを、しきい値メモリ３２に記憶されているしきい値と比較して、その比較結果が、しきい値より大きい場合にはステップＳ６へ進み、しきい値以下の場合にはステップＳ５へ進む。
ステップＳ５では、音声レベルがしきい値より大きい場合には、図４に示したように、しきい値を越えてＶＯＸ機能が動作するレベルであるという比較結果を示す表示Ｄ４を表示し、音声レベルがしきい値以下の場合には、前記表示Ｄ４は表示しない。
【００２６】
ステップＳ６では、アップキー５２の操作の有無を検出し、アップキー５２が操作されるとステップＳ７に進んで、ＶＯＸゲインテーブル３４に出力するレベル値を１段階アップさせ、そのレベル値に対応するしきい値を読み出して、ステップＳ８において、前記しきい値メモリ３２に設定する。なお、前記レベル値は表示制御部４２へも出力する。
【００２７】
ステップＳ６においてアップキー５２の操作が検出されなかった場合にはステップＳ１１に進む。
ステップＳ１１ではダウンキー５３の操作の有無を検出し、ダウンキー５３が操作されるとステップＳ１２に進んで、ＶＯＸゲインテーブルに出力するレベル値を１段階ダウンさせ、そのレベル値に対応するしきい値を読み出して、ステップＳ１３において、前記しきい値メモリ３２に設定する。
なお、ＶＯＸゲイン設定キー５１が、アップダウンキーではなく、ロータリーエンコーダ等のように回転操作するものである場合には、その回転角度に応じてレベル値を設定するように構成する。
【００２８】
ステップＳ９では、セットモード起動キー７１が再度押されたか否かを検出し、押されていなければ、ステップＳ４以降の前記動作を繰り返し、押されていれば調整モードを終了して、通常モードに復帰する。
通常モードでは、ステップＳ１０において、電源スイッチの操作の有無を検出し、電源スイッチが操作されると電源をオフにして終了する。
【００２９】
ステップＳ１４以降の通常モードにおいては、
まず、ステップＳ１４において、
ステップＳ１で検出された音声レベルを、しきい値メモリ３２に記憶されているしきい値と比較して、その比較結果が、しきい値より大きい場合にはステップＳ１５へ進み、しきい値以下の場合にはステップＳ２へ戻る。
ステップＳ１５では、送信開始信号としての送信制御信号を出力して、送信部６からの送信を開始させる。
ステップＳ１６では、ステップＳ１で検出された音声レベルを、しきい値メモリ３２に記憶されているしきい値と比較して、その比較結果が、音声レベルがしきい値より小さい場合にはステップＳ１７へ進んで、送信を終了してステップＳ１０へ進み、しきい値以上の場合には送信を継続する。
【００３０】
なお、図４に示した表示Ｄ４だけでは、表示が小さく見にくい場合には、図５に示したように、ＶＯＸ機能が動作するレベルであることを示す「ＯＮ」に相当する表示Ｄ５を大きく表示してもよい。
【００３１】
なお、セットモード起動キー７１を単独に設けず、ＶＯＸゲイン設定キー５１のアップキー５２および／またはダウンキー５３がセットモード起動キーを兼ねるようにしてもよい。
また、図６に示したように、音声レベルが、ＶＯＸ機能のしきい値を越えていることを示すレベル表示Ｄ６をしてもよい。
【００３２】
以上において説明したように、調整モードにおいては、実際にマイクロフォン２１に向かって音声を発しながら、アンテナから送信出力をすることなく、表示部８１を見ながらＶＯＸ機能が動作するレベルを調整することができる。
【実施例２】
【００３３】
前記実施例１においては、調整モードにおける表示部８１の表示は、図４、５、６に示したように、ＶＯＸ機能が動作するレベルであるか否かの状態を表示するだけであるが、現在のしきい値のレベルと、現在の音声レベルとがどの程度の差があるかを量的に把握することはできなかった。
そこで、実施例２においては、図７に示す表示部８２のように、現在のしきい値のレベルを表示する機能と、前記しきい値に対する現在の音声レベルの大小関係を量的に表示するレベルメータ表示機能を備えてもよい。
図７の（Ａ）は、現在のしきい値のレベルを表示する数値表示Ｄ７と、現在ＶＯＸ機能が動作するレベルであることを表示する表示Ｄ８に加えて、現在の音声レベルをドット数で表示するメータ表示Ｄ９を備えた表示例を示したものである。
【００３４】
たとえば、しきい値比較部３１においてＶＯＸゲインテーブル３４に書き込まれている各レベルのしきい値に基づいて、現在の音声レベルでＶＯＸ動作が作動する最大のしきい値に対応するレベル値を、現在の音声レベルに対応するレベル値として検出し、比較結果に加えて現在の音声レベルに対応するレベル値を表示制御部４２に出力し、表示制御部４２では、比較結果に応じた表示Ｄ８と、現在の音声レベルに対応するレベル値をドット数で表示するメータ表示Ｄ９を表示させる表示制御信号を出力するように構成すればよい。
【実施例３】
【００３５】
図８の（Ａ）は、実施例３の表示部８３を示したものであり、現在のしきい値のレベルを表示する数値表示Ｄ７と、現在ＶＯＸ機能が動作するレベルであって送信オンになっていることを表示する表示Ｄ８に加えて、ドット表示領域の中央等の所定位置のドットを点灯させた表示Ｄ１０と、現在のしきい値のレベルと音声レベルとの相対的な大小関係を示す表示Ｄ１１とを備えた表示例を示したものである。
図８の（Ａ）は、音声レベルが現在設定されているしきい値を越えている状態であり、表示Ｄ１１は現在のしきい値のレベル値と、現在の音声レベルとの差に応じたドット数分だけ表示Ｄ１０の点灯位置から右側に離れた位置のドットを点滅させて表示させている。
【００３６】
この場合、たとえば、しきい値比較部３１において、現在の音声レベルでＶＯＸ機能が動作するレベルの最大のしきい値に対応するレベル値を、現在の音声レベルに対応するレベル値として検出し、そのレベル値と現在ＶＯＸ感度として設定されているレベル値の差分を比較結果として出力し、表示制御部４２では比較結果に応じてＶＯＸ機能が動作するレベルであることを示す表示Ｄ８を点灯させ、上記差分に応じたドット数分、表示Ｄ１０の点灯位置より離れた位置のドットを表示Ｄ１１として点滅させるような表示制御信号を出力するように構成すればよい。
このように構成することで、ドット表示領域に表示できるドット数よりもＶＯＸ感度として選択できるレベル数が多い場合でも、現在設定されているしきい値のレベルと現在の音声レベルとの大小関係を把握できるようになる。
【００３７】
図８の（Ｂ）は、図８の（Ａ）に示したＶＯＸ機能が動作するレベルである状態から、ＶＯＸ機能が動作しないレベルになった状態を示しており、現在のしきい値のレベルを表示する表示Ｄ１０の位置は変化しないが、現在ＶＯＸ機能が動作しないレベルであることを表示するために前記表示Ｄ８は消灯し（消灯していること示すために、便宜上、白抜き文字で表示する。）、現在の音声レベルに対応する表示Ｄ１１としては、前記表示１０の位置よりレベルが小さい位置に対応するドットが点滅する。
【００３８】
以上の実施例３によれば、現在の音声レベルが、しきい値のレベルに対してどの程度大きいか、もしくは、小さいかを量的に把握することができるので、ＶＯＸゲイン設定キー５１をどの程度操作すべきか、もしくは、マイクロフォン２に向かって発する音声の大きさをどの程度調整すべきかの程度を把握することが可能となり、ＶＯＸ機能の調整がより便利になる。
【実施例４】
【００３９】
なお、以上の実施例１、２、３における表示部に代えて、報知手段としての音声出力手段や、振動出力手段を備えることによって、前記比較結果信号を音声や振動等によってオペレータに報知するように構成することも可能である。これらの表示部や音声出力手段や振動出力手段は併用することも可能である。
【符号の説明】
【００４０】
１  無線通信機
２  マイクロフォン
３  比較手段
４  送信信号出力手段
５  しきい値調整手段
６  送信部
７  モード切り換え手段
８  報知手段
１０  実施例１の無線通信機
２１  マイクロフォン
６１  送信部
９    制御部
３１  比較手段、しきい値比較部
４１  送信信号出力部、送信制御手段
４２  表示制御部、送信制御手段
７１  セットモード起動キー、モード切り換えスイッチ
５１  ＶＯＸゲイン設定キー、しきい値調整手段
５２  アップキー、しきい値調整手段
５３  ダウンキー、しきい値調整手段
８１  表示部（実施例１）
８２  表示部（実施例２）
８３  表示部（実施例３）
【図１】
0005381579.tif 000002
【図２】
0005381579.tif 000003
【図３】
0005381579.tif 000004
【図４】
0005381579.tif 000005
【図５】
0005381579.tif 000006
【図６】
0005381579.tif 000007
【図７】
0005381579.tif 000008
【図８】
0005381579.tif 000009